(57)【要約】【課題】本発明は、誤作動の発生を防止することができるタッチボタンを提供することを目的とする。【解決手段】本発明のタッチボタンは、タッチパネルと、フレキシブル回路基板と、タッチパネルとフレキシブル回路基板との間に位置する静電容量式感知素子と、を備える。フレキシブル回路基板は、頂層及び底層を備える。静電容量式感知素子は、フレキシブル回路基板の頂層に設置される。フレキシブル回路基板の底層は、第一領域を備える。第一領域の位置は、静電容量式感知素子の位置に対応し、第一領域には、銅が被覆されない。【選択図】図４
2013235829.tif 000002
【特許請求の範囲】
【請求項１】
タッチパネルと、フレキシブル回路基板と、前記タッチパネルと前記フレキシブル回路基板との間に位置する静電容量式感知素子と、を備え、前記フレキシブル回路基板は、頂層及び底層を備え、前記静電容量式感知素子は、前記フレキシブル回路基板の頂層に設置され、前記フレキシブル回路基板の底層は、第一領域を備え、前記第一領域の位置は、前記静電容量式感知素子の位置に対応し、前記第一領域には、銅が被覆されないことを特徴とするタッチボタン。
【請求項２】
前記フレキシブル回路基板の底層における前記静電容量式感知素子に対応した垂直投影領域は、対応する前記第一領域の内部に位置することを特徴とする請求項１に記載のタッチボタン。
【請求項３】
前記フレキシブル回路基板の底層における前記静電容量式感知素子に対応した垂直投影領域は、対応する前記第一領域と重なり合うことを特徴とする請求項１又は２に記載のタッチボタン。
【請求項４】
前記静電容量式感知素子及び前記第一領域は円形であり、前記第一領域の直径は、前記静電容量式感知素子の直径以上であることを特徴とする請求項１から３のいずれか１項に記載の静音駆動回路タッチボタン。
【請求項５】
前記フレキシブル回路基板の頂層の前記静電容量式感知素子以外の領域には、銅が被覆されないことを特徴とする請求項１から４のいずれか１項に記載のタッチボタン。
【請求項６】
前記タッチパネルは、第一表面及び前記第一表面の反対側に位置する第二表面を備え、前記第一表面には、タッチパネルマークが設置され、前記第二表面と前記静電容量式感知素子とは互いに接着され、前記タッチパネルマークの位置は、前記静電容量式感知素子の位置に対応することを特徴とする請求項１から５のいずれか１項に記載のタッチボタン。
【発明の詳細な説明】
【技術分野】
【０００１】
本発明は、タッチボタンに関するものである。
【背景技術】
【０００２】
現在、静電容量式タッチボタンは、マンマシンインターフェースに広く使用され、タッチパネルと、フレキシブル回路基板と、タッチパネルとフレキシブル回路基板との間に設置された銅パッドと、を備える。フレキシブル回路基板の頂層及び底層の空白領域には、銅が被覆されている。指でタッチパネルの銅パッドに対応するボタンマークをタッチすると、銅パッドの電荷の量は変化し、検出チップは、この電荷の量の変化を検出した後、ボタンがタッチされたことを確認して、システムに命令を出力して対応する機能を実行する。しかし、銅パッドの周辺領域にも銅が被覆されているため、指等が該周辺領域に当たっただけで、周辺領域も反応し、銅パッドの電荷の量の変化につながる。従って、誤作動が発生し易い。
【発明の概要】
【発明が解決しようとする課題】
【０００３】
本発明の目的は、上記課題を解決するために、誤作動の発生を防止することができるタッチボタンを提供することである。
【課題を解決するための手段】
【０００４】
上記目的を達成するため、本発明に係るタッチボタンは、タッチパネルと、フレキシブル回路基板と、前記タッチパネルと前記フレキシブル回路基板との間に位置する静電容量式感知素子と、を備え、前記フレキシブル回路基板は、頂層及び底層を備え、前記静電容量式感知素子は、前記フレキシブル回路基板の頂層に設置され、前記フレキシブル回路基板の底層は、第一領域を備え、前記第一領域の位置は、前記静電容量式感知素子の位置に対応し、前記第一領域には、銅が被覆されない。
【発明の効果】
【０００５】
本発明のタッチボタンは、静電容量式感知素子に対応する第一領域には、銅が被覆されないため、底層の第一領域の銅パッドと頂層の静電容量式感知素子との間の静電容量効果の影響を防止することができる。従って、指等が底層の銅が被覆された領域に当たっても、三つの静電容量式感知素子の電荷の量は変化せず、誤作動の発生を防止することができる。
【図面の簡単な説明】
【０００６】
【図１】本発明の実施形態に係るタッチボタンの組立斜視図である。
【図２】図１に示すタッチボタンの分解斜視図である。
【図３】図２に示すタッチボタンの別の視点から見た分解斜視図である。
【図４】図１に示すタッチボタンはＩＶ−ＩＶに沿った断面図である。
【発明を実施するための形態】
【０００７】
以下、図面を参照して、本発明の実施形態について説明する。
【０００８】
図１及び図２を参照すると、タッチボタン１０は、タッチパネル１と、フレキシブル回路基板２と、タッチパネル１とフレキシブル回路基板２との間に位置する三つの静電容量式感知素子３と、を備える。フレキシブル回路基板２は、頂層２１及び底層２２を備える。三つの静電容量式感知素子３は、フレキシブル回路基板２の頂層２１に等間隔に配置される。他の実施形態において、静電容量式感知素子３の数量は、１つ、２つ又は三つ以上であり得る。
【０００９】
タッチパネル１は、第一表面１１及び第一表面１１の反対側に位置する第二表面１２を備える。第一表面１１には、三つのタッチパネルマーク１３が設置されている。例えば、再生マーク、停止マーク、早送りマーク、巻き戻しマーク等である。三つのタッチパネルマーク１３の位置は、それぞれ三つの静電容量式感知素子３の位置に対応する。第二表面１２と三つの静電容量式感知素子３とは互いに接着される。タッチパネル１は、工程プラスチックからなる。例えば、ポリカーボネートであり、厚さは約２ｍｍであることが好ましい。タッチパネルマーク１３の数量は、１つ、２つ又は三つ以上であり得る。
【００１０】
図３及び図４を参照すると、フレキシブル回路基板２の頂層２１の三つの静電容量式感知素子３以外の領域には、銅が被覆されない。フレキシブル回路基板２の底層２２には、三つの第一領域２２１が等間隔に設置されている。この三つの第一領域２２１の位置は、それぞれ三つの静電容量式感知素子３の位置に対応する。三つの第一領域２２１は、銅を被覆しない領域である。フレキシブル回路基板２の底層２２における三つの静電容量式感知素子３に対応した三つの垂直投影領域２２２は、それぞれ三つの対応する第一領域２２１の内部に位置する。他の実施形態において、フレキシブル回路基板２の底層２２における三つの静電容量式感知素子３に対応した三つの垂直投影領域２２２は、それぞれ三つの対応する第一領域２２１と重なり合う。
【００１１】
本実施形態において、三つの静電容量式感知素子３は、銅である。三つの第一領域２２１は、銅を被覆しない円形の領域である。各第一領域２２１の直径は、各静電容量式感知素子３の直径以上である。三つの第一領域２２１と三つの垂直投影領域２２２との半径の差は、フレキシブル回路基板の配線の設計仕様によって確定される。例えば、６ミリメートルである。三つの静電容量式感知素子３と底層２２に位置する銅を被覆した領域との間の静電容量効果を大幅に低減させるために、三つの第一領域２２１と三つの垂直投影領域２２２との半径の差は大きければ大きいほど良い。
【００１２】
また、電子部品（例えば、三つの静電容量式感知素子３に電気的に接続される検出チップであり、図示せず）は、フレキシブル回路基板２の底層２２に設置される。他の実施形態において、フレキシブル回路基板２の設計空間を節約し、フレキシブル回路基板２の底層２２に、さらに多くの電子部品を装着することができるよう、第一領域２２１の直径と静電容量式感知素子３の直径とは等しくしても良い。
【００１３】
三つの静電容量式感知素子３は、フレキシブル回路基板２の底層２２の検出チップ（図示せず）に電気的に接続される。ユーザーが、タッチパネル１上のタッチパネルマーク１３をタッチすると、タッチされたタッチパネルマーク１３に対応する静電容量式感知素子３の電荷の量は変化し、検出チップは、この電荷の量の変化を検出した後、対応する制御信号を生成し、システムは、生成された制御信号に基づいて、対応する機能を実行する。底層２２の三つの第一領域２２１及び頂層２１の三つの静電容量式感知素子３以外の領域には、銅が被覆されていないため、底層２２の三つの第一領域２２１と頂層２１の三つの静電容量式感知素子３以外の領域との間の静電容量効果の影響を防止することができる。従って、指等が底層２２の銅が被覆された領域に当たっても、三つの静電容量式感知素子３の電荷の量は変化せず、誤作動の発生を防止することができる。
【００１４】
以上、本発明を実施例に基づいて具体的に説明したが、本発明は、上述の実施例に限定されるものではなく、その要旨を逸脱しない範囲において、種々の変更が可能であることは勿論であって、本発明の保護範囲は、以下の特許請求の範囲によって決まる。
【符号の説明】
【００１５】
１  タッチパネル
２  フレキシブル回路基板
３  静電容量式感知素子
１０  タッチボタン
１１  第一表面
１２  第二表面
１３  タッチパネルマーク
２１  頂層
２２  底層
２２１  第一領域
２２２  垂直投影領域
【図１】
2013235829.tif 000003
【図２】
2013235829.tif 000004
【図３】
2013235829.tif 000005
【図４】
2013235829.tif 000006